(57)【特許請求の範囲】
【請求項１】
マルチメディアの情報をモバイル端末で通信するネットワーク装置において、
インターネットから受信した情報の受信処理を行うインターネットプロトコル受信手段と、
前記インターネットプロトコル受信手段で処理された情報から画像情報及びモバイルネットワークに対する通信情報である非同期情報を抽出するプロトコル処理手段と、
前記プロトコル処理手段で抽出された画像情報を前記モバイル端末の種別に適した編集処理を行う画像情報編集処理手段と、
前記画像情報編集処理手段で編集された画像情報を蓄積する蓄積手段と、
前記蓄積手段への画像情報の蓄積及び前記蓄積された画像情報の読み出しを制御する蓄積制御手段と、
前記蓄積制御手段に対し単位時間毎に連続して画像情報を読み出すように読み出しタイミングを通知するタイミング制御手段と、
前記プロトコル処理手段で抽出された前記非同期情報を処理する非同期情報処理手段と、
前記タイミング制御手段で通知されたタイミングに基づき前記蓄積制御手段から読み出された同期の画像情報を処理する同期情報処理手段と、
前記同期情報処理手段からの前記同期の画像情報を前記非同期情報処理手段からの前記非同期情報より優先して送信バッファに書き込むように制御する情報書き込み制御手段と、
前記画像情報の連続再生を保証するように前記送信バッファに書き込まれた画像情報を前記非同期情報よりも優先して、前記モバイルネットワークを介して前記モバイル端末に送信するモバイルプロトコル送信処理手段と、
を具備することを特徴とするネットワーク装置。
【請求項２】
前記プロトコル処理手段は、
前記インターネットプロトコル受信手段からの受信情報が画像情報かモバイルネットワークに対する非同期情報かを解析するインターネットプロトコルアドレス解析処理手段と、
前記インターネットプロトコルアドレス解析処理手段からの画像情報のプロトコル処理を行う画像情報プロトコル処理手段と、
前記画像情報プロトコル処理手段でプロトコル処理された画像情報を処理し本来の情報に再生するデータ再生処理手段と、
前記インターネット及びモバイルネットワークに対する情報をプロトコル処理する通信ネットワークプロトコル処理手段とを備えたことを特徴とする請求項１記載のネットワーク装置。
【請求項３】
前記蓄積制御手段は、
前記画像情報編集処理手段において編集された編集データを前記蓄積手段に書き込むよう分割してセル化する編集データ分割処理手段と、
前記蓄積手段に対する読み出し処理及び書き込み処理を行う蓄積管理手段と、
前記編集データ分割処理手段で編集された分割データを前記蓄積管理手段に対して書き込むよう指示するデータ蓄積処理手段と、
前記タイミング制御手段からの読み出しタイミング指示に応じて前記蓄積管理手段に対し読み出しを指示するデータ読み出し処理手段とを備えることを特徴とする請求項１または２記載のネットワーク装置。
【請求項４】
マルチメディアの情報をモバイル端末で通信するネットワーク通信方法において、
インターネットから受信した情報の受信処理を行い、
前記受信処理された情報から画像情報及びモバイルネットワークに対する通信情報である非同期情報を抽出し、
前記抽出された画像情報を前記モバイル端末の種別に適した編集処理を行い、
前記編集処理された画像情報を蓄積し、
前記画像情報の蓄積及び前記蓄積された画像情報の読み出しを制御し、
単位時間毎に連続して画像情報を読み出すように読み出しタイミングを通知し、
前記抽出された非同期情報を処理し、
前記通知されたタイミングに基づき前記読み出された同期の画像情報を処理し、
前記同期の画像情報を前記非同期情報より優先して送信バッファに書き込むように制御し、
前記画像情報の連続再生を保証するように前記送信バッファに書き込まれた画像情報を前記非同期情報よりも優先して、前記モバイルネットワークを介して前記モバイル端末に送信する各工程からなることを特徴とするネットワーク通信方法。
【請求項５】
前記画像情報及び前記非同期情報を抽出する工程は、
前記受信情報が画像情報かモバイルネットワークに対する非同期情報かを解析し、
前記解析された画像情報についてプロトコル処理し、
前記プロトコル処理された画像情報を処理して本来の情報に再生し、
前記インターネット及びモバイルネットワークに対する情報をプロトコル処理する各工程からなることを特徴とする請求項４記載のネットワーク通信方法。
【請求項６】
前記画像情報の蓄積及び前記蓄積された画像情報の読み出しを制御する工程は、
前記抽出された画像情報を前記編集処理した編集データを蓄積のために分割し、
前記編集された分割データの蓄積及び読み出しを処理し、
前記編集された分割データを書き込むよう指示し、
タイミング指示に応じて前記編集された分割データの読み出しを指示する各工程からなることを特徴とする請求項４または５記載のネットワーク通信方法。
【発明の詳細な説明】
【０００１】
【産業上の利用分野】
本発明は、画像情報などの情報をモバイル端末で取り扱い、情報を加工して蓄積し、連続再生するようにしたネットワーク装置に関する。
【０００２】
【従来の技術】
従来、インターネットの動画情報を端末で連続再生させるには、インターネットがリアルタイム通信を保証していないため、圧縮された情報を端末のメモリに転送し、転送された情報を端末のメモリ上で解凍し、そこで動画情報を再生するようにしていた。動画情報を細切れで送った場合についても、転送された部分までの再生が終了すると、続きの画像情報の取り込みを引き続き行い、再生するといった方法で画像情報を再生するようにしていたため、画像情報の取り込みを行っている間は画像情報の連続再生を実現することができなかった。
また、画像情報の画面の大きさもコンテンツ毎にまちまちであり、再生する端末の画面の大きさは考慮されていなかった。
【０００３】
【発明が解決しようとする課題】
しかしながら、上記従来例の画像情報伝送システムにおいては、上記のように画像情報の連続再生を実現することができないという問題があった。また、モバイル端末で長時間の動画情報を再生するためには、画像処理を高速に行う高性能なＣＰＵと大容量のメモリを準備しなければならないとう問題があった。
【０００４】
本発明は、上記従来の問題を解決するためになされたもので、ネットワーク装置において、インターネットまたはモバイルネットワークからの情報をモバイル端末に適した情報に加工し、加工した情報を蓄積装置に蓄積し、読み出すタイミングを単位時間毎に画像情報を連続して送信するようにしたことにより、モバイル端末に高性能なＣＰＵと大容量のメモリを必要とせずに、画像情報の連続再生を可能にするネットワーク装置を提供することを目的とする。
【０００５】
【課題を解決するための手段】
本発明は、以下に記述するようにして上記の問題を解決した。
１．本発明は、上記の問題を解決するため、マルチメディアの情報をモバイル端末で通信するネットワークにおいて、インターネットとインタフェースするインターネットインタフェース手段と、モバイルネットワークとインタフェースするモバイルインタフェース手段と、前記インターネットインタフェース手段及び前記モバイルインタフェース手段で処理された情報からプロトコル処理を行うプロトコル処理手段と、前記プロトコル処理手段で処理されて抽出した画像情報をモバイル通信に適するように編集処理する画像情報編集処理手段と、前記画像情報編集処理手段で編集された画像情報を蓄積する蓄積装置と、前記蓄積装置に画像情報を蓄積するための制御と蓄積された画像情報を読み出すための制御を行う蓄積装置制御手段とを備えるようにしたものである。
【０００６】
２．本発明は、上記の問題を解決するため、前記インターネットインタフェース手段と、前記モバイルインタフェース手段と、前記プロトコル処理手段と、前記画像情報編集処理手段と、前記蓄積装置制御手段のそれぞれのインタフェースにおいて送受信する画像情報をセル化したフォーマットで通信するようにしたものである。
【０００７】
３．本発明は、上記の問題を解決するため、前記モバイルインタフェース手段が、モバイルネットワークからの受信処理を行いプロトコル処理手段に通知するモバイルプロトコル受信処理手段と、プロトコル処理手段からの情報と蓄積装置制御手段からの情報の送信処理を行いモバイルネットワークに送信するモバイルプロトコル送信処理手段と、単位時間毎に連続して画像情報を送信するよう蓄積装置制御手段に対し送信タイミングを通知する送信タイミング制御処理手段とを備え、モバイルネットワークに対して画像情報の連続再生を実現するようにしたものである。
【０００８】
４．本発明は、上記の問題を解決するため、前記インターネットインタフェース手段が、インターネットからの受信情報の通信処理を行いプロトコル処理手段に通知するインターネットプロトコル受信処理手段と、プロトコル処理手段からの情報をインターネットに送信するインターネットプロトコル送信処理手段とを備え、更に前記インターネットプロトコル受信処理手段及び前記インターネットプロトコル送信処理手段において前記プロトコル処理手段との間で通信情報や画像情報を通信するためにセル化したインタフェースを備えるようにしたものである。
【０００９】
５．本発明は、上記の問題を解決するため、前記プロトコル処理手段が、インターネットインタフェース手段からの情報がモバイルネットワークに対する通信情報かまたは画像情報かを解析するインターネットプロトコルアドレス解析処理手段と、インターネットプロトコルアドレス解析処理手段からの画像情報のプロトコル処理を行う画像情報プロトコル処理手段と、画像情報プロトコル処理手段でプロトコル処理された画像情報を処理し本来の情報に再生するデータ再生処理手段と、インターネット及びモバイルネットワークに対してプロトコル処理を行う通信ネットワークプロトコル処理手段とを備え、前記画像情報プロトコル処理手段は、モバイルネットワークとの間で画像情報の送受信を行うための通信を行う通信処理機能と、インターネットからの画像情報の取り込みを行うための通信処理機能とを備え、前記データ再生処理手段は、圧縮された画像情報を解凍する機能や静止画及び動画の画像情報を処理する機能を備え、前記画像情報プロトコル処理手段はインターネットの画像情報が蓄積されたコンテンツサーバとの通信において、分割通信で画像情報の通信を行う通信処理機能を備えるようにしたものである。
【００１０】
６．本発明は、上記の問題を解決するため、前記画像情報編集処理手段が、プロトコル処理手段で再生された画像情報を蓄積する再生データ蓄積装置と、再生データ蓄積装置に対して再生データの書き込みと読み出しを管理する受信データ管理手段と、再生データ蓄積装置から読み出した再生データをモバイル端末に適したフォーマットに編集処理する再生データ編集手段とを備えるようにしたものである。
【００１１】
７．本発明は、上記の問題を解決するため、前記再生データ編集手段が、モバイルネットワークを経由して通信を行うモバイル端末の種類によって、画像情報を編集する機能や、前記再生データの情報の間引きを行うことで画面の大きさをモバイル端末に適したフォーマットに編集処理する機能や、前記再生データのカラー情報を白黒情報に変換することにより、モバイル端末に適したフォーマットに編集処理する機能を備えるようにしたものである。
【００１２】
８．本発明は、上記の問題を解決するため、前記蓄積装置制御手段が、前記画像情報編集処理手段で編集された編集データを前記蓄積装置に書き込むために編集データを分割する編集データ分割処理手段と、前記蓄積装置に対して読み出し処理と書き込み処理を行う蓄積装置管理手段と、前記編集データ分割処理手段で編集された分割データを前記蓄積装置管理手段に書き込みを指示するデータ蓄積処理手段と、前記モバイルインタフェース手段からの読み出しタイミング指示に応じて前記蓄積装置管理手段に対して読み出しを指示するデータ読み出し処理手段とを備えるようにしたものである。
【００１３】
９．本発明は、上記の問題を解決するため、前記編集データ分割処理手段が、前記画像情報編集処理手段からの編集データを蓄積する画像情報バッファと、前記画像情報バッファに蓄積された編集データをセル化処理する情報のセル化手段とを備えるようにしたものである。
【００１４】
本発明は、上記１乃至９に記載のように構成して、インターネットまたはモバイルネットワークからの情報をプロトコル処理し、プロトコル処理した情報から画像情報を抽出し、抽出した画像情報をモバイル通信に適するように編集処理して蓄積し、画像情報の連続再生が可能なように蓄積した編集情報の読み出しタイミングの指示を単位時間毎に連続して送信するようにしたことにより、モバイルネットワークにおいて画像情報の連続再生を実現することができるネットワーク装置及びネットワーク通信方法が得られる。
【００１５】
１０．本発明は、上記の問題を解決するため、前記モバイルプロトコル受信処理手段が、モバイルネットワークからの情報を蓄積する受信バッファと、前記受信バッファに蓄積された情報のセル化手段とを備え、前記モバイルプロトコル受信処理手段は、前記受信バッファにより複数のインタフェースの速度に対応し、情報をセル化処理するようにしたものである。
【００１６】
本発明は、上記１０に記載のように構成して、処理手段間のインタフェースにおける画像情報をＡＴＭ等のセルフォーマットに変換して処理するようにしたことにより、このネットワーク装置のように大容量の画像情報を取り扱い、その画像情報を多くのモバイル端末との間で通信するために必要な情報処理の高速伝送化と大容量の交換能力とを実現することができるネットワーク装置及びネットワーク通信方法が得られる。
【００１７】
１１．本発明は、上記の問題を解決するため、前記モバイルプロトコル送信処理手段が、プロトコル処理手段からの非同期の通信情報を処理する非同期情報処理手段と、蓄積装置制御手段からの同期の画像情報を処理する同期情報処理手段と、モバイルネットワークに対して情報を送信するための送信バッファと、同期情報処理手段で処理された画像情報をモバイルネットワークに対して画像情報の連続再生の実現を保証するために前記送信バッファに対して前記同期情報処理手段からの情報を前記非同期情報処理手段からの情報より優先させて前記送信バッファに書き込むよう制御する情報書き込み制御手段とを備え、また、前記モバイルプロトコル送信処理手段は、複数のインタフェースの速度に対応する前記送信バッファとの通信処理機能を備えるようにしたものである。
【００１８】
本発明は、上記１１に記載のように構成して、通信する情報を動画情報の連続再生に必要な画像情報と通信情報とに区別し、画像情報の連続再生を実現するために画像情報を優先情報とし、通信情報を非優先情報として取り扱い、優先情報と優先情報の間に非優先情報を送信して、モバイルネットワークに対し優先情報を優先的に送信するようにしたことにより、画像情報の連続再生を実現することができるネットワーク装置及びネットワーク通信方法が得られる。
【００１９】
１２．本発明は、上記の問題を解決するため、モバイルネットワークとの通信において、前記ネットワーク装置が、モバイルネットワークとインタフェースするモバイルインタフェース手段と、モバイル端末からの情報をプロトコル処理するプロトコル処理手段と、画像情報が蓄積された蓄積装置と、前記蓄積装置に蓄積された画像情報を読み出すための制御を行う蓄積装置制御手段とを備え、モバイルネットワークに対して情報を流し続ける放送機能を備えるようにしたものである。
【００２０】
本発明は、上記１２に記載のように構成して、蓄積装置に蓄積された情報を、モバイルインタフェース手段からの読み出しタイミングに従って読み出すようにしたことにより、常にモバイルネットワークに対して情報を流し続ける放送機能を実現することができるネットワーク装置及びネットワーク通信方法が得られる。
【００２１】
１３．本発明は、上記の問題を解決するため、モバイルネットワークとの通信において、ネットワーク装置が、モバイルネットワークとインタフェースするモバイルインタフェース手段と、モバイル端末から画像情報をプロトコル処理するプロトコル処理手段と、前記画像情報をモバイル端末に適した編集情報に編集する画像情報編集処理手段と、前記編集情報を蓄積する前記蓄積装置と、前記蓄積装置に編集情報を蓄積し蓄積された編集情報を読み出すよう制御する蓄積装置制御手段とを備え、モバイル端末間での画像情報の通信を実現する機能を備えるようにしたものである。
【００２２】
本発明は、上記１３に記載のように構成して、モバイル端末からの画像情報を画像情報編集処理手段において異なる種類のモバイル端末に適した編集情報に編集して蓄積し、この編集情報をインターネットからの画像情報を通信する場合と同様に他のモバイル端末に送信することができるようにしたことにより、モバイル端末間における画像情報の通信を実現することができるネットワーク装置及びネットワーク通信方法が得られる。
【００２３】
１４．本発明は、上記の問題を解決するため、モバイルネットワークとの通信において、ネットワーク装置が、モバイルネットワークとインタフェースするモバイルインタフェース手段と、モバイル端末から画像情報をプロトコル処理するプロトコル処理手段と、複数の種類の前記画像情報を共通画像情報フォーマットに変換する画像情報変換処理手段と、変換された画像情報を蓄積する蓄積装置と、前記蓄積装置に画像情報を蓄積するための制御と蓄積された画像情報を読み出すための制御を行う蓄積装置制御手段と、画像情報をそれぞれのモバイル端末に適した画像情報に編集する画像情報カスタム処理手段とを備えるようにしたものである。
【００２４】
本発明は、上記１４に記載のように構成して、受信した画像情報を共通画像情報フォーマットに変換して蓄積し、モバイルネットワークに対して画像情報を送信する際は、蓄積から読み出された共通画像情報フォーマットの画像情報を端末ごとに取り扱っている画像情報のフォーマットに変換するようにしたことにより、一度変換された画像情報はネットワークの画像情報フォーマットに影響されないため再利用が可能となり、端末間の通信機能や放送機能としても実現することができるネットワーク装置及びネットワーク通信方法が得られる。
【００２５】
１５．本発明は、上記の問題を解決するため、モバイルネットワークとの通信において、ネットワーク装置が、モバイルネットワークとインタフェースするモバイルインタフェース手段と、モバイル端末から画像情報をプロトコル処理するプロトコル処理手段と、前記共通画像情報フォーマットの画像情報が蓄積された蓄積装置と、前記蓄積装置に画像情報を蓄積し蓄積された画像情報を読み出すよう制御する蓄積装置制御手段と、前記蓄積装置から読み出した画像情報をそれぞれのモバイル端末に適した画像情報に編集する画像情報カスタム処理手段とを備えるようにしたものである。
【００２６】
本発明は、上記１５に記載のように構成して、モバイルネットワークに対して画像情報を送信する際には、画像情報カスタム処理手段において、蓄積装置から読み出された共通画像情報フォーマットの画像情報を端末ごとに取り扱われている画像情報のフォーマットに変換するようにしたことにより、放送機能を実現することができるネットワーク装置及びネットワーク通信方法が得られる。
【００２７】
１６．本発明は、上記の問題を解決するため、マルチメディアの情報をモバイル端末で通信するネットワークにおいて、本発明のネットワーク装置が、インターネットとインタフェースするインターネットインタフェース手段と、モバイルネットワークとインタフェースするモバイルインタフェース手段と、前記インターネットインタフェース手段及び前記モバイルインタフェース手段で処理された情報からプロトコル処理を行うプロトコル処理手段と、前記プロトコル処理手段で抽出した画像情報を共通画像情報フォーマットに変換する画像情報変換処理手段と、前記画像情報変換処理手段で編集された画像情報を蓄積する蓄積装置と、前記蓄積装置に画像情報を蓄積し蓄積された画像情報を読み出すよう制御する蓄積装置制御手段と、前記蓄積装置制御手段で読み出した画像情報をモバイル通信に適するように編集処理する画像情報カスタム処理手段とを備えるようにしたものである。
【００２８】
本発明は、上記１６に記載のように構成して、画像情報変換処理手段において画像情報を共通画像情報フォーマットに変換し、変換した画像情報を蓄積装置に蓄積するようにしたことにより、一度蓄積装置に蓄積された画像情報はネットワークの画像情報フォーマットに影響されないため再利用が可能となり、モバイルネットワークに対して画像情報を送信する際には、画像情報カスタム処理手段において、前記蓄積装置から共通画像情報フォーマットの画像情報を端末ごとに取り扱われている画像情報のフォーマットに変換するようにしたことにより、端末間の通信機能や放送機能としても実現することができるとともに、モバイルインタフェース手段が蓄積した編集情報の読み出しタイミングの指示を画像情報の連続再生が可能なように単位時間毎に連続して蓄積装置制御手段に通知するようにしたことにより、モバイルネットワークに対する画像情報の連続再生を実現することができるネットワーク装置及びネットワーク通信方法が得られる。
【００２９】
【発明の実施の形態】
本発明の請求項１に記載の発明は、マルチメディアの情報をモバイル端末で通信するネットワークにおいて、インターネットとインタフェースするインターネットインタフェース手段と、モバイルネットワークとインタフェースするモバイルインタフェース手段と、前記インターネットインタフェース手段及び前記モバイルインタフェース手段で処理された情報についてプロトコル処理を行うプロトコル処理手段と、前記プロトコル処理手段で処理して抽出された画像情報をモバイル通信に適するよう編集処理する画像情報編集処理手段と、前記画像情報編集処理手段で編集された画像情報を蓄積する蓄積装置と、前記蓄積装置に画像情報を蓄積し及び前記蓄積された画像情報を読み出すよう制御する蓄積装置制御手段とを備えるようにしたものであり、前記モバイルインタフェース手段から前記蓄積装置制御手段に対し送信情報の読み出しタイミングを画像情報の連続再生が可能なように単位時間毎に連続指示するようにしたことにより、モバイルネットワークとの画像情報の連続再生を実現するという作用を有する。
【００３０】
本発明の請求項２に記載の発明は、前記インターネットインタフェース手段と、前記モバイルインタフェース手段と、前記プロトコル処理手段と、前記画像情報編集処理手段と、前記蓄積装置制御手段のそれぞれのインタフェースにおいて送受信する画像情報をセル化したフォーマットで通信するようにしたものであり、画像情報をセル化して処理し前記モバイルインタフェース手段から前記蓄積装置制御手段に対し送信情報の読み出しタイミングを画像情報の連続再生が可能なように単位時間毎に連続指示するようにしたことにより、モバイルネットワークとの画像情報の連続再生を実現するという作用を有する。
【００３１】
本発明の請求項３に記載の発明は、前記モバイルインタフェース手段が、前記モバイルネットワークからの情報を受信処理して前記プロトコル処理手段に通知するモバイルプロトコル受信処理手段と、前記プロトコル処理手段からの情報と前記蓄積装置制御手段からの情報を送信処理して前記モバイルネットワークに送信するモバイルプロトコル送信処理手段と、前記蓄積装置制御手段に対し単位時間毎に連続して画像情報を送信するよう送信タイミングを通知する送信タイミング制御処理手段とを備え、前記蓄積装置制御手段に対する送信タイミング通知により前記モバイルネットワークに対する画像情報の連続再生を実現するようにしたものであり、画像情報を単位時間毎に連続して送信するよう前記蓄積装置制御手段に対して送信タイミングを通知するようにしたことにより、前記モバイルネットワークに対する画像情報の連続再生を実現することができるという作用を有する。
【００３２】
本発明の請求項４に記載の発明は、前記インターネットインタフェース手段が、インターネットから受信した情報の通信処理を行い前記プロトコル処理手段に通知するインターネットプロトコル受信処理手段と、前記プロトコル処理手段から受信した情報を前記インターネットに送信するインターネットプロトコル送信処理手段とを備えるようにしたものであり、画像情報を単位時間毎に連続して送信するよう前記蓄積装置制御手段に対して送信タイミングを通知するようにしたことにより、前記モバイルネットワークに対する画像情報の連続再生を実現することができるという作用を有する。
【００３３】
本発明の請求項５に記載の発明は、前記インターネットインタフェース手段は、前記インターネットプロトコル受信処理手段と前記インターネットプロトコル送信処理手段とが前記プロトコル処理手段との間で通信する通信情報や画像情報を通信するためにセル化するインタフェースを備えるようにしたものであり、画像情報をセル化して処理しその画像情報を単位時間毎に連続して送信するよう前記蓄積装置制御手段に対して送信タイミングを通知するようにしたことにより、前記モバイルネットワークに対する画像情報の連続再生を実現することができるという作用を有する。
【００３４】
本発明の請求項６に記載の発明は、前記プロトコル処理手段は、前記インターネットインタフェース手段からの情報が前記モバイルネットワークに対する通信情報かまたは画像情報かを解析するインターネットプロトコルアドレス解析処理手段と、前記インターネットプロトコルアドレス解析処理手段からの画像情報のプロトコル処理を行う画像情報プロトコル処理手段と、前記画像情報プロトコル処理手段でプロトコル処理された画像情報を処理し本来の情報に再生するデータ再生処理手段と、前記インターネット及びモバイルネットワークに対する情報をプロトコル処理する通信ネットワークプロトコル処理手段とを備えるようにしたものであり、画像情報を単位時間毎に連続して送信するよう前記蓄積装置制御手段に対し送信タイミングを通知するようにしたことにより、前記モバイルネットワークに対する画像情報の連続再生を実現することができるという作用を有する。
【００３５】
本発明の請求項７に記載の発明は、前記画像情報編集処理手段が、前記プロトコル処理手段で再生された画像情報を蓄積する再生データ蓄積装置と、前記再生データ蓄積装置に対する再生データの書き込み及び読み出しを管理する受信データ管理手段と、前記再生データ蓄積装置から読み出した再生データをモバイル端末に適したフォーマットに編集処理する再生データ編集手段とを備えるようにしたものであり、各種モバイル端末に適したフォーマットの画像情報を単位時間毎に連続して送信するよう前記蓄積装置制御手段に対して送信タイミングを通知するようにしたことにより、前記モバイルネットワークに対しモバイル端末に適したフォーマットの画像情報の連続再生を実現することができるという作用を有する。
【００３６】
本発明の請求項８に記載の発明は、前記モバイルプロトコル送信処理手段が、前記プロトコル処理手段からの非同期の通信情報を処理する非同期情報処理手段と、前記蓄積装置制御手段からの同期の画像情報を処理する同期情報処理手段と、前記モバイルネットワークに対して情報を送信する送信バッファと、前記同期情報処理手段からの情報を前記非同期情報処理手段からの通信情報より優先して前記送信バッファに書き込むよう制御する情報書き込み制御手段とを備え、前記同期情報処理手段で処理された画像情報を前記モバイルネットワークに対し画像情報の連続再生を保証するよう通信情報より優先して送信するようにしたものであり、画像情報を単位時間毎に連続して送信するよう前記蓄積装置制御手段に対し送信タイミングを通知するとともに、通信情報より画像情報を優先送信するようにしたことにより、前記モバイルネットワークに対する画像情報の連続再生を実現することができるという作用を有する。
【００３７】
本発明の請求項９に記載の発明は、前記蓄積装置制御手段が、前記画像情報編集処理手段において編集された編集データを前記蓄積装置に書き込むよう分割してセル化する編集データ分割処理手段と、前記蓄積装置に対する読み出し処理及び書き込み処理を行う蓄積装置管理手段と、前記編集データ分割処理手段で編集された分割データを前記蓄積装置管理手段に対して書き込むよう指示するデータ蓄積処理手段と、前記モバイルインタフェース手段からの読み出しタイミング指示に応じて前記蓄積装置管理手段に対し読み出しを指示するデータ読み出し処理手段とを備えるようにしたものであり、画像情報をセル化して処理し前記モバイルインタフェース手段から前記蓄積装置制御手段に対し送信情報の読み出しタイミングを画像情報の連続再生が可能なように単位時間毎に連続指示するようにしたことにより、モバイルネットワークとの画像情報の連続再生を実現するとともに、高速かつ大容量処理が可能な通信インタフェースを実現することができるという作用を有する。
【００３８】
本発明の請求項１０に記載の発明は、モバイルネットワークとの通信において、モバイルネットワークとインタフェースするモバイルインタフェース手段と、前記モバイルインタフェース手段で処理されたモバイル端末からの情報をプロトコル処理するプロトコル処理手段と、画像情報が蓄積された蓄積装置と、前記蓄積装置に蓄積された画像情報を読み出すよう制御する蓄積装置制御手段とを備え、前記蓄積装置から画像情報を読み出し前記モバイルネットワークに対して情報を流し続けて放送するようにしたものであり、放送が開始されると蓄積装置制御手段に対し蓄積装置からの放送情報の読み出しタイミングを指示することにより、画像情報の連続再生放送を実現することができるという作用を有する。
【００３９】
本発明の請求項１１に記載の発明は、モバイルネットワークとの通信において、モバイルネットワークとインタフェースするモバイルインタフェース手段と、モバイル端末から画像情報をプロトコル処理するプロトコル処理手段と、前記画像情報をモバイル端末に適した編集情報に編集する画像情報編集処理手段と、前記編集情報を蓄積する蓄積装置と、前記蓄積装置に対し編集情報を蓄積し蓄積された編集情報を読み出すよう制御する蓄積装置制御手段とを備え、モバイル端末間において画像情報を通信するようにしたものであり、画像情報を単位時間毎に連続して送信するよう前記蓄積装置制御手段に対し送信タイミングを通知するとともに、モバイル端末からの情報から画像情報を抽出してそれを読み出すモバイル端末に応じた加工を施すようにすることにより、モバイル端末間の画像情報の転送を可能にし、モバイルネットワークに対する画像情報の連続再生を実現することができるという作用を有する。
【００４０】
本発明の請求項１２に記載の発明は、モバイルネットワークとの通信において、各種モバイル端末で取り扱う複数種類の画像情報の処理フォーマットを共通に取り扱いうるよう共通画像情報フォーマットに変換する画像情報変換処理手段を備えるようにしたものであり、画像情報の処理フォーマットを共通に取り扱いうるよう共通画像情報フォーマットに変換するようにしたことにより、複数種類のモバイル端末においても共通に取り扱うことのできる共通画像を供給することができるという作用を有する。
【００４１】
本発明の請求項１３に記載の発明は、モバイルネットワークとの通信において、モバイルネットワークとインタフェースするモバイルインタフェース手段と、モバイル端末からの画像情報をプロトコル処理するプロトコル処理手段と、複数種類の前記画像情報を共通画像情報フォーマットに変換する画像情報変換処理手段と、変換された前記画像情報を蓄積する蓄積装置と、前記蓄積装置に画像情報を蓄積し蓄積された画像情報を読み出すよう制御する蓄積装置制御手段と、各種モバイル端末に適した画像情報に編集する画像情報カスタム処理手段とを備え、異なる種類のモバイル端末間において画像情報を通信するようにしたものであり、画像情報を共通画像情報フォーマットに変換することにより、一度蓄積装置に蓄積された画像情報はネットワークの画像情報フォーマットに影響されずに再利用が可能になるとともに、異なる種類のモバイル端末に適した画像情報に編集する画像情報カスタム処理するようにしたことにより、異なる種類の端末間の連続通信を実現することができるという作用を有する。
【００４２】
本発明の請求項１４に記載の発明は、モバイルネットワークとの通信において、モバイルネットワークとインタフェースするモバイルインタフェース手段と、モバイル端末から画像情報をプロトコル処理するプロトコル処理手段と、共通画像情報フォーマットの画像情報が蓄積された蓄積装置と、前記蓄積装置に画像情報を蓄積し蓄積された画像情報を読み出すよう制御する蓄積装置制御手段と、前記蓄積装置から読み出した画像情報を各種モバイル端末に適した画像情報に編集する画像情報カスタム処理手段とを備え、前記蓄積装置から画像情報を読み出し前記モバイルネットワークに対して情報を流し続けて放送するようにしたものであり、異なる種類のモバイル端末に適した画像情報に編集する画像情報カスタム処理するようにしたことにより、異なる種類の端末に対し連続放送することができるという作用を有する。
【００４３】
本発明の請求項１５に記載の発明は、マルチメディアの情報をモバイル端末で通信するネットワークにおいて、インターネットとインタフェースするインターネットインタフェース手段と、モバイルネットワークとインタフェースするモバイルインタフェース手段と、前記インターネットインタフェース手段及び前記モバイルインタフェース手段で処理された情報についてプロトコル処理を行うプロトコル処理手段と、前記プロトコル処理手段で抽出した画像情報を共通画像情報フォーマットに変換する画像情報変換処理手段と、前記画像情報変換処理手段で変換された画像情報を蓄積する蓄積装置と、前記蓄積装置に画像情報を蓄積し蓄積された画像情報を読み出すよう制御する蓄積装置制御手段と、前記画像情報制御手段により読み出した画像情報をモバイル通信に適するよう編集処理する画像情報カスタム処理手段とを備えるようにしたものであり、送信情報の読み出しタイミングを画像情報の連続再生が可能なように単位時間毎に連続指示するようにしたことにより、モバイルネットワークとの画像情報の連続再生を実現するという作用を有する。
【００４４】
本発明の請求項１６に記載の発明は、マルチメディアの情報をモバイル端末で通信するネットワークにおけるネットワーク装置において、インターネットとの間で情報をインタフェース処理し、モバイルネットワークとの間で情報をインタフェース処理し、前記インタフェース処理された情報についてプロトコル処理し、前記プロトコル処理して抽出された画像情報をモバイル通信に適するよう編集処理し、前記編集処理された画像情報を蓄積し、前記画像情報の蓄積及び蓄積された画像情報の読み出しを制御するようにしたものであり、送信情報の読み出しタイミングを画像情報の連続再生が可能なように単位時間毎に連続指示するようにしたことにより、モバイルネットワークとの画像情報の連続再生を実現するという作用を有する。
【００４５】
本発明の請求項１７に記載の発明は、前記インターネットとの間のインタフェース、前記モバイルネットワークとの間のインタフェース、前記インタフェース処理された情報についてプロトコル処理する際のインタフェース、前記プロトコル処理して抽出された画像情報を編集処理する際のインタフェース、前記画像情報の蓄積及び蓄積された画像情報の読み出しの際のインタフェースの各インタフェースにおいて、送受信する画像情報をセル化したフォーマットで通信するようにしたものであり、画像情報をセル化して処理するとともに、送信情報の読み出しタイミングを画像情報の連続再生が可能なように単位時間毎に連続指示するようにしたことにより、モバイルネットワークとの画像情報の連続再生を実現するという作用を有する。
【００４６】
本発明の請求項１８に記載の発明は、前記モバイルネットワークとの間で情報をインタフェース処理する工程が、前記モバイルネットワークからの情報を受信処理してプロトコル処理するプロトコル処理手段に通知し、前記プロトコル処理手段からの情報と前記画像情報の蓄積を制御する蓄積装置制御手段からの情報を送信処理して前記モバイルネットワークに送信し、前記画像情報の蓄積及び読み出しを制御する蓄積装置制御手段に対し単位時間毎に連続して画像情報を送信するよう送信タイミングを通知する各工程からなり、前記蓄積装置制御手段に対する送信タイミング通知により前記モバイルネットワークに対する画像情報の連続再生を実現するようにしたものであり、画像情報を単位時間毎に連続して送信するよう蓄積装置制御手段に対し送信タイミングを通知するようにしたことにより、モバイルネットワークに対する画像情報の連続再生を実現することができるという作用を有する。
【００４７】
本発明の請求項１９に記載の発明は、前記インターネットとの間でインタフェース処理する工程が、前記インターネットから受信した情報の通信処理を行いプロトコル処理手段に通知し、前記プロトコル処理手段から受信した情報を前記インターネットに送信する各工程からなるようにしたものであり、画像情報を単位時間毎に連続して送信するよう蓄積装置制御手段に対して送信タイミングを通知するようにしたことにより、モバイルネットワークに対する画像情報の連続再生を実現することができるという作用を有する。
【００４８】
本発明の請求項２０に記載の発明は、前記インターネットとの間でインタフェース処理する工程において、前記インターネットから受信した情報の通信処理を行いプロトコル処理手段に通知し、前記プロトコル処理手段から受信した情報を前記インターネットに送信する際に、前記プロトコル処理手段との間で通信する通信情報や画像情報をセル化して通信するようにしたものであり、画像情報をセル化して処理しその画像情報を単位時間毎に連続して送信するよう送信タイミングを通知するようにしたことにより、モバイルネットワークに対する画像情報の連続再生を実現することができるという作用を有する。
【００４９】
本発明の請求項２１に記載の発明は、前記インタフェース処理された情報についてプロトコル処理する工程は、前記インタフェース処理された情報が前記モバイルネットワークに対する通信情報かまたは画像情報かを解析し、前記解析された画像情報についてプロトコル処理し、前記プロトコル処理された画像情報を処理して本来の情報に再生し、前記インターネット及びモバイルネットワークに対する情報をプロトコル処理する各工程からなるようにしたものであり、画像情報を単位時間毎に連続して送信するよう蓄積装置制御手段に対し送信タイミングを通知するようにしたことにより、モバイルネットワークに対する画像情報の連続再生を実現することができるという作用を有する。
【００５０】
本発明の請求項２２に記載の発明は、前記プロトコル処理して抽出された画像情報をモバイル通信に適するよう編集処理する工程が、前記プロトコル処理して再生された画像情報を蓄積し、前記再生された画像情報の蓄積及び読み出しを管理し、前記読み出した再生データをモバイル通信に適したフォーマットに編集処理する各工程からなるようにしたものであり、各種モバイル端末に適したフォーマットの画像情報を単位時間毎に連続して送信するよう送信タイミングを通知することにより、モバイルネットワークに対しモバイル端末に適したフォーマットの画像情報の連続再生を実現することができるという作用を有する。
【００５１】
本発明の請求項２３に記載の発明は、前記プロトコル処理手段からの情報と前記蓄積装置制御手段からの情報を送信処理して前記モバイルネットワークに送信する工程が、前記プロトコル処理手段からの非同期の通信情報を処理し、前記蓄積装置制御手段からの同期の画像情報を処理し、前記処理した同期の画像情報を前記処理した非同期の通信情報より優先して送信するために記憶し、前記モバイルネットワークに対して送信する各工程からなり、前記同期情報処理手段で処理された画像情報を通信情報より優先して前記モバイルネットワークに対し送信することにより画像情報の連続再生を保証するようにしたものであり、画像情報を単位時間毎に連続して送信するよう蓄積装置制御手段に対し送信タイミングを通知するとともに、通信情報より画像情報を優先送信するようにしたことにより、モバイルネットワークに対する画像情報の連続再生を実現することができるという作用を有する。
【００５２】
本発明の請求項２４に記載の発明は、前記画像情報の蓄積及び蓄積された画像情報の読み出しを制御する工程が、前記プロトコル処理して抽出された画像情報をモバイル通信に適するよう編集処理した編集データを蓄積のために分割し、蓄積装置管理手段により編集データの蓄積及び読み出しを処理し、前記編集された分割データを前記蓄積装置管理手段に対して書き込むよう指示し、モバイルインタフェース手段からの読み出しタイミング指示に応じて前記蓄積装置管理手段に対し読み出しを指示する各工程からなるようにしたものであり、画像情報をセル化して処理しモバイルインタフェース手段から蓄積装置制御手段に対し送信情報の読み出しタイミングを画像情報の連続再生が可能なように単位時間毎に連続指示するようにしたことにより、モバイルネットワークとの画像情報の連続再生を実現するとともに、高速かつ大容量処理が可能な通信インタフェースを実現することができるという作用を有する。
【００５３】
本発明の請求項２５に記載の発明は、モバイルネットワークとの通信において、前記モバイルネットワークとの間で情報をインタフェース処理し、前記インタフェース処理されたモバイル端末からの情報についてプロトコル処理し、前記モバイル端末からの情報に基づき蓄積装置に蓄積された画像情報を所定のタイミングで読み出し、前記読み出した画像情報を前記モバイルネットワークに送信する各工程からなり、前記蓄積装置から読み出した画像情報を前記モバイルネットワークに対し情報を流し続けて放送するようにしたものであり、放送が開始されると蓄積装置制御手段に対し蓄積装置からの放送情報の読み出しタイミングを指示することにより、画像情報の連続再生放送を実現することができるという作用を有する。
【００５４】
本発明の請求項２６に記載の発明は、モバイルネットワークとの通信において、前記モバイルネットワークとの間で情報をインタフェース処理し、前記インタフェース処理されたモバイル端末からの画像情報をプロトコル処理し、前記プロトコル処理した画像情報をモバイル端末に適した編集情報に編集し、前記編集情報を蓄積し、前記編集情報の蓄積及び読み出しを制御する各工程からなり、モバイル端末間において画像情報を通信するようにしたものであり、画像情報を単位時間毎に連続して送信するよう蓄積装置制御手段に対し送信タイミングを通知するとともに、モバイル端末からの情報から画像情報を抽出してそれを読み出すモバイル端末に応じた加工を施すようにすることにより、モバイル端末間の画像情報の転送を可能にし、モバイルネットワークに対する画像情報の連続再生を実現することができるという作用を有する。
【００５５】
本発明の請求項２７に記載の発明は、モバイルネットワークとの通信において、インタフェース処理されたモバイル端末からの画像情報をプロトコル処理し、前記プロトコル処理された各種モバイル端末で取り扱う複数種類の画像情報の処理フォーマットを共通に取り扱いうるよう共通画像情報フォーマットに変換する各工程からなるようにしたものであり、画像情報の処理フォーマットを共通に取り扱いうるよう共通画像情報フォーマットに変換するようにしたことにより、複数種類のモバイル端末においても共通に取り扱うことのできる共通画像を供給することができるという作用を有する。
【００５６】
本発明の請求項２８に記載の発明は、モバイルネットワークとの通信において、前記モバイルネットワークとの間で情報をインタフェース処理し、前記インタフェース処理されたモバイル端末からの画像情報をプロトコル処理し、複数種類の前記画像情報の処理フォーマットを共通画像情報フォーマットに変換し、前記変換された画像情報を蓄積し、前記蓄積した画像情報を読み出し前記複数種類のモバイル端末に適した画像情報に編集する各工程からなり、前記複数種類のモバイル端末間において画像情報を通信するようにしたものであり、画像情報を共通画像情報フォーマットに変換することにより、一度蓄積装置に蓄積された画像情報はネットワークの画像情報フォーマットに影響されずに再利用が可能になるとともに、異なる種類のモバイル端末に適した画像情報に編集する画像情報カスタム処理するようにしたことにより、異なる種類の端末間の連続通信を実現することができるという作用を有する。
【００５７】
本発明の請求項２９に記載の発明は、モバイルネットワークとの通信において、前記モバイルネットワークとの間で情報をインタフェース処理し、前記インタフェース処理されたモバイル端末からの画像情報をプロトコル処理し、蓄積された共通画像情報フォーマットの画像情報を読み出す読み出し指示及び読み出しタイミングを与え、前記読み出した画像情報を各種モバイル端末に適した画像情報に編集し、前記編集した画像情報を前記モバイルネットワークに対して流し続けて放送する各工程からなるようにしたものであり、異なる種類のモバイル端末に適した画像情報に編集する画像情報カスタム処理するようにしたことにより、異なる種類の端末に対し連続放送することができるという作用を有する。
【００５８】
本発明の請求項３０に記載の発明は、マルチメディアの情報をモバイル端末で通信するネットワークにおけるネットワーク装置において、インターネットとの間で情報をインタフェース処理し、モバイルネットワークとの間で情報をインタフェース処理し、前記インタフェース処理された情報についてプロトコル処理し、前記プロトコル処理において抽出された画像情報を共通画像情報フォーマットに変換し、前記共通画像情報フォーマットに変換された画像情報を蓄積し、前記蓄積した画像情報を読み出してカスタム処理する各工程からなるようにしたものであり、モバイルインタフェース手段から蓄積装置制御手段に対し送信情報の読み出しタイミングを画像情報の連続再生が可能なように単位時間毎に連続指示するようにしたことにより、モバイルネットワークとの画像情報の連続再生を実現するという作用を有する。
【００５９】
以下、添付図面、図１乃至図１３に基づき、本発明の実施の形態を詳細に説明する。
（実施の形態１）
まず、図１を参照して、本発明の実施の形態１におけるモバイルネットワークに対する画像情報の連続再生を実現するようにしたネットワーク装置について説明する。ここで、モバイルネットワークは複数であってもかまわない。図１は本発明の実施の形態１におけるネットワーク装置を示すブロック図である。
【００６０】
図１において、１はインターネット、２は動画情報や静止画情報をコンテンツとして提供するコンテンツサーバ、３はインターネット１とモバイルネットワーク４とのインタフェースを処理するネットワーク装置、４はモバイルネットワーク、５はネットワーク装置３がインターネット１とのインタフェースを行うインターネットインタフェース手段、６はインターネット１及びモバイルネットワーク４からの情報のプロトコル処理を行うプロトコル処理手段、７はネットワーク装置３がモバイルネットワーク４とのインタフェースを行うモバイルインタフェース手段、８はインターネット１及びモバイルネットワーク４から発信された画像情報をモバイル端末に適した画像情報に編集する画像情報編集処理手段、９は蓄積装置１０に対する書き込み及び読み出しの制御を行う蓄積装置制御手段、１０は蓄積装置である。
【００６１】
次に、図１を参照して、以上のように構成された本発明の実施の形態１におけるネットワーク装置の動作を説明する。
実施の形態１におけるネットワーク装置は、モバイルネットワーク４に対して画像情報を連続再生することを特徴とするものである。
モバイルネットワーク４からの画像情報を要求するメッセージは、ネットワーク装置３で処理され、コンテンツサーバ２に届けられる。これはモバイルインタフェース手段７でインタフェースされた情報を、プロトコル処理手段６でプロトコル処理され、インターネットインタフェース手段５からインターネット１を経由して受信したメッセージがコンテンツサーバ２に届けられる。そのメッセージに応答して、コンテンツサーバ２から画像情報がインターネット１を経由してインターネットインタフェース手段５に届けられると、プロトコル処理手段６において画像情報が抽出され、画像情報編集処理手段８においてモバイル端末に適した画像情報に編集される。
【００６２】
蓄積装置制御手段９は、編集された画像情報を蓄積装置１０に書き込む。プロトコル処理手段６はコンテンツサーバ２からの画像情報の転送が終了したことを解析すると、モバイルインタフェース手段７に対しそれを通知し、モバイルネットワーク４に対して画像情報の連続再生を実現する通信を開始する。すなわち、モバイルインタフェース手段７は、蓄積装置制御手段９に対して単位時間毎に連続して画像情報を送信できる読み出しタイミングを指示する。蓄積装置制御手段９は、指示されたタイミングに応じて蓄積装置１０から編集された画像情報をモバイルインタフェース手段７に転送する。モバイルインタフェース手段７は、蓄積装置制御手段９から転送された画像情報をモバイルネットワーク４に対し連続再生を保証するように転送する。
【００６３】
次に、図２を参照して、本発明の実施の形態１におけるモバイルネットワークに対して画像情報の連続再生通信を行うネットワーク装置のモバイルインタフェース手段について説明する。図２は本発明の実施の形態１におけるモバイルインタフェース手段を示すブロック図である。
【００６４】
図２において、１１はプロトコル処理手段、１２は蓄積装置制御手段、１３はモバイルインタフェース手段、１４はモバイルネットワークである。モバイルインタフェース手段１３は、モバイルネットワーク１４とのインタフェースを行い、処理結果をプロトコル処理手段１１との通信に使用する。１５はモバイルプロトコル受信処理手段で、モバイルネットワーク１４からの受信処理を行い、受信処理結果をプロトコル処理手段１１に通知する。１６はモバイルプロトコル送信処理手段で、プロトコル処理手段１１からの通信情報と蓄積装置制御手段１２からの画像情報をモバイルネットワーク１４に対して送信する送信処理を行う。１７は送信タイミング制御処理手段で、モバイルプロトコル送信処理手段１６において単位時間毎に連続して画像情報を送信できるように、蓄積装置制御手段１２に対して送信する画像情報の転送タイミングを指示する。
【００６５】
次に、図２を参照して、以上のように構成された本発明の実施の形態１におけるモバイルインタフェース手段の動作を説明する。
モバイルインタフェース手段１３に対しモバイルネットワーク１４から受信があると、モバイルプロトコル受信処理手段１５において受信が処理され、プロトコル処理手段１１に通知する。また、プロトコル処理手段１１において送信があると、モバイルプロトコル送信処理手段１６に通知されて送信が処理され、モバイルネットワーク１４に送信する。
【００６６】
モバイルネットワーク１４に対して画像情報の連続再生を実現するためには、モバイルプロトコル送信処理手段１６で画像情報の送信を制御する。単位時間ごとに送信する画像情報が途切れないように、送信タイミング制御処理手段１７が画像情報の読み出しタイミングを蓄積装置制御手段１２に対して指示する。蓄積装置制御手段１２は、そのタイミングに合わせてモバイルプロトコル送信処理手段１６に対して画像情報を転送する。モバイルプロトコル送信手段１６は、画像情報の連続再生通信を保証するよう画像情報をモバイルネットワーク１４に送信する。
【００６７】
次に、図３を参照して、本発明の実施の形態１におけるインターネットとの通信を行うネットワーク装置のインターネットインタフェース手段について説明する。図３は本発明の実施の形態１におけるインターネットインタフェース手段を示すブロック図である。
【００６８】
図３において、１８はインターネット、１９はインターネットインタフェース手段、２０はプロトコル処理手段、２１はインターネットプロトコル送信処理手段、２２はインターネットプロトコル受信処理手段である。インターネットインタフェース手段１９は、インターネット１８とのインタフェースを行い、その情報をプロトコル処理手段２０との通信に使用する。インターネットプロトコル送信処理手段２１は、プロトコル処理手段２０からの送信情報をインターネット１８に対して送信処理を行う。インターネットプロトコル受信処理手段２２は、インターネット１８からの受信処理を行い、受信情報をプロトコル処理手段２０に通知する。
【００６９】
次に、図３を参照して、以上のように構成された本発明の実施の形態１におけるインターネットインタフェース手段の動作を説明する。
プロトコル処理手段２０において送信があると、インターネットプロトコル送信処理手段２１に通知されて送信処理が行われ、インターネット１８に送信する。また、インターネットインタフェース手段１９に対してインターネット１８からの受信があると、インターネットプロトコル受信処理手段２２において受信処理が行なわれプロトコル処理手段２０に通知する。
【００７０】
次に、図４を参照して、本発明の実施の形態１におけるインターネット及びモバイルネットワークからの情報のプロトコル処理を行うネットワーク装置のプロトコル処理手段について説明する。図４は本発明の実施の形態１におけるプロトコル処理手段を示すブロック図である。
【００７１】
図４において、２３はインターネットインタフェース手段、２４はプロトコル処理手段、２５はモバイルインタフェース手段、２６は画像情報編集手段である。プロトコル処理手段２４は、インターネットインタフェース手段２３及びモバイルインタフェース手段２５からの情報のプロトコル処理の他に、受信した情報から画像情報を抽出し画像情報編集手段２６に転送する。また、２７はインターネットインタフェース手段２３とモバイルインタフェース手段２５で送受信処理された情報のプロトコル処理を行う通信ネットワークプロトコル処理手段、２８はインターネットインタフェース手段２３からの受信情報のアドレスを解析し、モバイルネットワークに対する通信情報なのかそれとも画像情報なのかを解析するインターネットプロトコルアドレス解析処理手段、２９は画像情報のプロトコルを処理する画像情報プロトコル処理手段、３０はプロトコル処理された画像情報を本来の情報に再生するデータ再生処理手段である。
【００７２】
次に、図４を参照して、以上のように構成された本発明の実施の形態１におけるプロトコル処理手段の動作を説明する。
モバイルインタフェース手段２５から情報の受信があると、通信ネットワークプロトコル処理手段２７においてプロトコル処理が行われ、その状態によってモバイルインタフェース手段２５に応答を返したり、インターネットインタフェース手段２３に送信したりする。
【００７３】
画像情報がインターネットインタフェース手段２３から受信した場合は、インターネットプロトコルアドレス解析処理手段２８において、モバイルネットワークに対する通信情報なのかそれとも画像情報なのかを解析する。画像情報の場合は、画像情報プロトコル処理手段２９におけるプロトコル処理により画像情報を抽出する。抽出された画像情報はデータ再生処理手段３０において本来の画像情報に再生される。なお、画像情報の通信プロトコルによっては、圧縮されたものや分割して送信されたもの、画像情報の種別も動画情報から静止画までいろいろな形式で転送されるが、いずれもデータ再生手段３０において再生される。再生された情報は画像情報編集手段２６に転送される。
インターネットプロトコルアドレス解析処理手段２８において通信情報と解析された場合は、通信ネットワークプロトコル処理手段２７に情報を通知し、モバイルインタフェース手段２５と通信する。
【００７４】
次に、図５を参照して、本発明の実施の形態１における受信した画像情報をモバイル通信に適した画像情報に編集する処理を行うネットワーク装置の画像情報編集処理手段について説明する。図５は本発明の実施の形態１における画像情報編集処理手段を示すブロック図である。
【００７５】
図５において、３１はプロトコル処理手段、３２は画像情報編集処理手段、３３は蓄積装置制御手段である。画像情報編集処理手段３２はプロトコル処理手段３１で抽出した画像情報をモバイル端末に適した情報に編集し、蓄積装置制御手段３３に転送する。また、３５は再生データ蓄積装置で、プロトコル処理手段３１から受信した画像情報を蓄積する。３４は受信データ管理手段で、再生データ蓄積装置３５に対するプロトコル処理手段３１からの画像情報の書き込み及び読み出し処理を行う。３６は再生データ編集手段で、再生データ蓄積装置３５に蓄積された画像情報をモバイル端末に適した情報に編集する。
【００７６】
次に、図５を参照して、以上のように構成された本発明の実施の形態１における画像情報編集処理手段の動作を説明する。
プロトコル処理手段３１からの受信があると、受信データ管理手段３４は再生データ蓄積装置３５に対して画像情報の書き込みを行う。画像情報の書き込みが終了すると、再生データ編集手段３６は受信データ管理手段３４に指示して再生データ蓄積装置３５から再生データを読み出し、再生データの編集を行う。編集された編集データは蓄積装置制御手段３３に対して転送される。再生データ編集手段３６は、再生データをモバイル端末に適した情報に編集するために、画像の大きさを修正したり、白黒データに修正したり、情報の間引きの処理等を行う。この処理は、端末種別毎に行うことが可能である。
【００７７】
次に、図６を参照して、本発明の実施の形態１における画像情報の蓄積装置に対する書き込み及び読み出しを管理するネットワーク装置の蓄積装置制御手段について説明する。図６は本発明の実施の形態１における蓄積装置制御手段を示すブロック図である。
【００７８】
図６において、３７は画像情報編集処理手段、３８は蓄積装置制御手段、３９は蓄積装置、４０はモバイルインタフェース手段である。蓄積装置制御手段３８は、画像情報編集処理手段３７からの画像情報を蓄積装置３９に書き込み、また、モバイルインタフェース手段４０からの読み出しタイミング指示に応じて蓄積装置３９から情報を読み出し、モバイルインタフェース手段４０に転送する。
【００７９】
また、４１は画像情報編集処理手段３７から受信した画像情報を、連続再生通信を実現する上で蓄積装置３９からの読み出しが容易になるように、画像情報を分割する編集データ分割処理手段、４２は蓄積装置３９への書き込みを制御するデータ蓄積処理手段、４３は蓄積装置３９に対してデータの書き込み及び読み出しを行う蓄積装置管理手段、４４は蓄積装置管理手段４３に対して読み出しを制御するデータ読み出し処理手段である。
【００８０】
次に、図６を参照して、以上のように構成された本発明の実施の形態１における蓄積装置制御手段の動作を説明する。
画像情報編集処理手段３７から編集データの受信があると、編集データ分割処理手段４１は、蓄積装置３９のファイル管理方法や画像情報の連続再生通信を行う際に容易なフォーマットになるよう編集データを分割する。その一例としては、高速でリアルタイムが保証できるようなデータフォーマットであるＡＴＭセルのようなものがある。データ蓄積処理手段４２は、分割された編集データを蓄積装置３９に蓄積するための管理を行う。蓄積装置３９が分散したハードディスクの場合には、ファイルを分散管理をするために、データ書き込みを管理する必要がある。
【００８１】
蓄積装置管理手段４３は、データ蓄積処理手段４２の指示に従い蓄積装置３９に対してデータの書き込みを行う。モバイルインタフェース手段４０からデータ読み出し処理手段４４に対してデータの読み出しが指示されると、データ読み出し処理手段４４は、蓄積装置３９からデータを読み出すために蓄積装置管理手段４３に読み出しを指示する。読み出したデータは、モバイルインタフェース手段４０に転送される。
【００８２】
次に、図７を参照して、本発明の実施の形態１におけるモバイルネットワークに対して画像情報の連続再生通信を行うネットワーク装置のモバイルインタフェース手段について説明する。図７は本発明の実施の形態１におけるモバイルインタフェース手段を示すブロック図である。
【００８３】
図７において、４５はプロトコル処理手段、４６は蓄積装置制御手段、４７はモバイルインタフェース手段、４８はモバイルネットワークである。モバイルインタフェース手段４７は、モバイルネットワーク４８とのインタフェースを行い、処理結果をプロトコル処理手段４５との間で相互に送信する。また、４９はモバイルネットワーク４８からの受信処理を行い、受信処理結果をプロトコル処理手段４５に通知するモバイルプロトコル受信処理手段、５０はプロトコル処理手段４５からの送信情報と蓄積装置制御手段４６からの画像情報をモバイルネットワーク４８に対して送信処理を行うモバイルプロトコル送信処理手段、５１はモバイルプロトコル送信処理手段５０における画像情報の連続再生通信を実現するために、蓄積装置制御手段４６に対して送信する画像情報の転送タイミングを指示する送信タイミング制御処理手段である。
【００８４】
次に、モバイルプロトコル受信処理手段４９において、５２はモバイルネットワーク４８からの受信情報をバッファする受信バッファ、５３は受信バッファ５２の受信情報をＡＴＭセル化する処理を行う情報のセル化処理、また、モバイルプロトコル送信処理手段５０において、５４は通信情報の受信処理を行う非同期情報処理手段、５５は画像情報の受信処理を行う同期情報処理手段、５６は同期情報処理手段５５で処理された情報を、非同期情報処理手段５４で処理された情報よりも優先的に書き込む処理を行う情報書き込み制御手段、５７は情報書き込み制御手段５６からの書き込み順序に従ってモバイルネットワーク４８に対して送信を行う送信バッファである。
【００８５】
次に、図７を参照して、以上のように構成された本発明の実施の形態１におけるモバイルインタフェース手段の動作を説明する。
モバイルネットワーク４８からの受信は、モバイルプロトコル受信処理手段４９において受信処理されてプロトコル処理手段４５に通知される。その際、受信バッファ５２で一旦バッファされ、それが情報のセル化処理５３でＡＴＭセル化されてプロトコル処理手段４５に送信される。
【００８６】
また、モバイルネットワーク４８に対する送信は、プロトコル処理手段４５からの通信情報と、蓄積装置制御手段４６からの画像情報に区別することができる。プロトコル処理手段４５から受信した通信情報は非同期情報処理手段５４で処理され、蓄積装置制御手段４６から受信した画像情報は同期情報処理手段５５で処理される。モバイルネットワーク４８に対する画像情報の連続再生通信を保証する必要があるのは蓄積装置制御手段４６からの画像情報であるから、情報書き込み制御手段５６は、同期情報処理手段５５からの画像情報を優先して送信バッファ５７に書き込む。
【００８７】
単位時間に動画情報を常に転送し続けることにより、受信側は画像情報の連続再生を行うことができる。そのために情報書き込み制御手段５６は、送信バッファに対して画像情報の連続再生通信を保証するように情報を書き込み、その間に非同期情報処理手段５４からの情報を送信バッファに書き込む。画像情報のタイミングは、同期情報処理手段５５から送信タイミング制御処理手段５１に通知し、送信する情報落ちがないように制御する。
【００８８】
次に、図８を参照して、本発明の実施の形態１における画像情報の蓄積装置に対する書き込みと読み出しを管理するネットワーク装置の蓄積装置制御手段について説明する。図８は本発明の実施の形態１における蓄積装置制御手段を示すブロック図である。
【００８９】
図８において、５８は画像情報編集処理手段、５９は蓄積装置制御手段、６０は蓄積装置、６１はモバイルインタフェース手段である。蓄積装置制御手段５９は、画像情報編集処理手段５８からの画像情報を蓄積装置６０に書き込み、また、モバイルインタフェース手段６１からの読み出しタイミングの指示に応じて蓄積装置６０から画像情報を読み出し、モバイルインタフェース手段６１に転送する。
【００９０】
また、６２は画像情報編集処理手段５８から受信した画像情報を、連続再生通信を実現する上で蓄積装置６０からの読み出しが容易になるように、画像情報を分割する編集データ分割処理手段、６３は蓄積装置６０への書き込みを制御するデータ蓄積処理手段、６４は蓄積装置６０に対してデータの書き込み及び読み出しを行う蓄積装置管理手段、６５は蓄積装置管理手段６４に対する読み出しを管理するデータ読み出し処理手段である。
【００９１】
また、編集データ分割処理手段６２において、６６は画像情報編集処理手段５８からの画像情報をバッファする画像情報バッファ、６７は画像情報バッファ６６の画像情報に対してＡＴＭセル化処理を行うデータのセル化処理である。
【００９２】
次に、図８を参照して、以上のように構成された本発明の実施の形態１における蓄積装置制御手段の動作を説明する。
画像情報編集処理手段５８から編集した画像情報の受信があると、編集データ分割処理手段６２は、蓄積装置６０のファイル管理方法や画像情報の連続再生を行うために容易なフォーマットに受信した画像情報を分割する。その際、画像情報バッファ６６で一旦バッファされ、それがデータのセル化処理６７においてＡＴＭセルのデータフォーマットに変換される。蓄積装置６０に対するアクセスは、データ蓄積処理手段６３で書き込みが管理され、データ読み出し処理手段６５で読み出しが管理される。蓄積装置６０に蓄積するデータフォーマットもＡＴＭセルフォーマットで行い、これにより、高速で大容量な処理が可能な通信インタフェースを実現することができる。
【００９３】
（実施の形態２）
次に、図９を参照して、本発明の実施の形態２におけるモバイルネットワークに対して画像情報の連続再生放送を実現するネットワーク装置について説明する。ここで、モバイルネットワークは複数であってもかまわない。図９は本発明の実施の形態２におけるネットワーク装置を示すブロック図である。
【００９４】
図９において、６８はネットワーク装置、６９はモバイルネットワーク、７０はモバイルネットワーク６９とインタフェースを行うモバイルインタフェース手段、７１はモバイルインタフェース手段７０で処理された情報のプロトコル処理を行うプロトコル処理手段、７２は放送の情報が書き込まれている蓄積装置、７３は蓄積装置７２に対する情報の書き込み及び読み出しの制御を行う蓄積装置制御手段である。
【００９５】
次に、図９を参照して、以上のように構成された本発明の実施の形態２におけるネットワーク装置の動作を説明する。
実施の形態２におけるネットワーク装置は、モバイルネットワーク６９に対して画像情報を連続再生放送することを特徴とするものである。
モバイルネットワーク６９からの画像情報の放送を受信する要求メッセージは、ネットワーク装置６８で処理され、モバイルネットワーク６９に対して情報を発信する。サービス内容によっては要求メッセージなしに、常に放送として情報を連続発信することができる。
【００９６】
モバイルネットワーク６９からのメッセージはモバイルインタフェース手段７０で受信処理され、プロトコル処理手段７１でプロトコル処理が行われる。その結果により、モバイルインタフェース手段７０は放送に関するメッセージをモバイルネットワーク６９に返すとともに、蓄積装置制御手段７３に対して指示を行い、蓄積装置７２から放送の情報を読み出す。モバイルインタフェース手段７０は、以降放送が開始されると、蓄積装置制御手段７３に対して蓄積装置７２からの放送の情報を読み出すタイミングを指示し、画像情報の連続再生放送を実現する。
【００９７】
（実施の形態３）
次に、図１０を参照して、本発明の実施の形態３におけるモバイルネットワークに対してモバイル端末同士の画像情報の通信を実現するネットワーク装置について説明する。ここで、モバイルネットワークは複数であってもかまわない。図１０は本発明の実施の形態３におけるネットワーク装置を示すブロック図である。
【００９８】
図１０において、７４はネットワーク装置、７５はモバイルネットワーク、７６はモバイルネットワーク７５とインタフェースを行うモバイルインタフェース手段、７７はモバイルインタフェース手段７６で処理された情報からプロトコル処理を行うプロトコル処理手段、７８は読み出すモバイル端末に応じた編集処理を行う画像情報編集処理手段、同一端末によっては編集の必要がない。また、７９はモバイル端末からの情報を蓄積する蓄積装置、８０は蓄積装置７２に対してモバイル端末からの情報の書き込み及び読み出しの制御を行う蓄積装置制御手段である。
【００９９】
次に、図１０を参照して、以上のように構成された本発明の実施の形態３におけるネットワーク装置の動作を説明する。
実施の形態３におけるネットワーク装置は、モバイルネットワーク７５に対しモバイル端末同士の画像情報を通信することを特徴とするものである。
モバイルネットワーク７５からの画像情報をネットワーク装置７４に蓄積するため、まず画像情報を送信するメッセージがモバイルネットワーク７５から送信されてくる。このメッセージはモバイルインターフェース手段７６において処理され、プロトコル処理手段７７でプロトコル処理が行われる。その応答をモバイルインタフェース手段７６を経由してモバイルネットワーク７５に送信する。
【０１００】
次に、モバイルインタフェース手段７６を経由して受信した画像情報をプロトコル処理手段７７で処理することにより、蓄積する画像情報を抽出する。抽出された画像情報は、画像情報編集処理手段７８において、読み出しを要求するモバイル端末に応じた加工を行い、蓄積装置制御手段８０を経由して蓄積装置７９に書き込まれる。
【０１０１】
モバイルネットワーク７５からの画像情報の読み出し要求に対しては、モバイルネットワーク７５からの情報がモバイルインタフェース手段７６で処理され、プロトコル処理手段７７で画像情報の読み出し要求だと判断し、モバイルインタフェース手段７６に対して画像情報の読み出しを指示する。モバイルインタフェース手段７６は、蓄積装置制御手段８０に対し蓄積装置７９からの指定された画像情報の読み出しを指示し、読み出した画像情報をモバイルインタフェース手段７６に転送する。そして、読み出された画像情報は、モバイルインタフェース手段７６を経由してモバイルネットワーク７５に送信される。
【０１０２】
（実施の形態４）
次に、図１１を参照して、本発明の実施の形態４におけるモバイルネットワークに対してモバイル端末同士の画像情報の通信を実現するネットワーク装置について説明する。ここで、モバイルネットワークは複数であってもかまわない。図１１は本発明の実施の形態４におけるネットワーク装置を示すブロック図である。
【０１０３】
図１１において、８１はネットワーク装置、８２はモバイルネットワーク、８３はモバイルネットワーク８２とインタフェースを行うモバイルインタフェース手段、８４はモバイルインタフェース手段８３で処理された情報からプロトコル処理を行うプロトコル処理手段、８５はそれぞれ異なる種類のモバイル端末で取り扱う画像情報フォーマットを共通に取り扱うことのできる共通画像フォーマットに変換する画像情報変換処理手段、８６は画像情報変換処理手段８５で変換されたモバイル端末からの画像情報を蓄積する蓄積装置、８７は蓄積装置８６に対してモバイル端末からの情報の書き込み及び読み出しを制御する蓄積装置制御手段、８８は共通画像フォーマットの画像情報を読み出すよう要求したモバイル端末に応じた画像情報にカスタム処理を行う画像情報カスタム編集処理手段である。
【０１０４】
次に、図１１を参照して、以上のように構成された本発明の実施の形態４におけるネットワーク装置の動作を説明する。
実施の形態４におけるネットワーク装置は、モバイルネットワーク８２に対してモバイル端末同士の画像情報を通信することを特徴とするものである。
モバイルネットワーク８２からの画像情報をネットワーク装置８１に蓄積するためには、まず画像情報を送信するメッセージがモバイルネットワーク８２から送信されてくる。このメッセージはモバイルインターフェース手段８３において処理され、プロトコル処理手段８４でプロトコル処理が行われる。その応答をモバイルインタフェース手段８３を経由してモバイルネットワーク８２に送信する。
【０１０５】
次に、モバイルインタフェース手段８３を経由して受信した画像情報をプロトコル処理手段８４で処理することにより、蓄積する画像情報を抽出する。抽出された画像情報は、画像情報変換処理手段８５において、いろいろな種類の画像情報フォーマットを変換処理できる共通画像フォーマットに変換し、蓄積装置制御手段８７を経由して蓄積装置８６に書き込まれる。
【０１０６】
モバイルネットワーク８２からの画像情報の読み出し要求に対しては、モバイルネットワーク８２からの情報がモバイルインタフェース手段８３で処理されて、プロトコル処理手段８４で画像情報の読み出し要求だと判断され、モバイルインタフェース手段８３に対して画像情報の読み出しを指示する。モバイルインタフェース手段８３は、蓄積装置制御手段８７に対し蓄積装置８６からの指定された画像情報の読み出しを指示し、読み出した画像情報を画像情報カスタム処理手段８８に転送する。そして、読み出された画像情報は、画像情報カスタム処理手段８８において、画像情報の読み出しを要求したモバイル端末に適した画像情報のフォーマットにカスタム処理され、モバイルインタフェース手段８３を経由してモバイルネットワーク８２に送信される。
【０１０７】
（実施の形態５）
次に、図１２を参照して、本発明の実施の形態５におけるモバイルネットワークに対して画像情報の連続再生放送を実現するネットワーク装置について説明する。ここで、モバイルネットワークは複数であってもかまわない。図１２は本発明の実施の形態５におけるネットワーク装置を示すブロック図である。
【０１０８】
図１２において、８９はネットワーク装置、９０はモバイルネットワーク、９１はモバイルネットワーク９０とインタフェースを行うモバイルインタフェース手段、９２はモバイルインタフェース手段９１で処理された情報からプロトコル処理を行うプロトコル処理手段、９３は蓄積装置である。蓄積装置９３には複数の種類の画像情報の処理フォーマットを共通に取り扱うための共通画像情報フォーマットに変換された画像情報を蓄積する。また、９４は蓄積装置９３に対してモバイル端末からの情報の書き込み及び読み出しの制御を行う蓄積装置制御手段、９５は共通画像フォーマットの画像情報の読み出しを要求するモバイル端末に応じた画像情報にカスタム処理を行う画像情報カスタム編集処理手段である。
【０１０９】
次に、図１２を参照して、以上のように構成された本発明の実施の形態５におけるネットワーク装置の動作を説明する。
実施の形態５におけるネットワーク装置は、モバイルネットワーク９０に対して画像情報を連続再生放送することを特徴とするものである。
モバイルネットワーク９０からの画像情報の放送を受信する要求メッセージはネットワーク装置８９において処理され、モバイルネットワーク９０に対して情報を発信する。サービス内容によっては要求メッセージなしに、常に放送として情報を発信する。
【０１１０】
モバイルネットワーク９０からのメッセージはモバイルインタフェース手段９１で受信処理され、プロトコル処理手段９２でプロトコル処理が行われる。その結果により、モバイルインタフェース手段９１は放送に関するメッセージをモバイルネットワーク９０に返すとともに、蓄積装置制御手段９４に対して指示を行い、蓄積装置９３から放送の情報を読み出す。以降放送が開始されると、蓄積装置制御手段９４に対して蓄積装置９３からの放送の情報を読み出すタイミングを指示して画像情報を取り出す。取り出された画像情報は、画像情報カスタム処理手段においてモバイル端末に適した画像情報にカスタム処理され連続再生放送を実現する。
【０１１１】
（実施の形態６）
次に、図１３を参照して、本発明の実施の形態６におけるモバイルネットワークに対して画像情報の連続再生を実現するネットワーク装置について説明する。ここで、モバイルネットワークは複数であってもかまわない。図１３は本発明の実施の形態６におけるネットワーク装置を示すブロック図である。
【０１１２】
図１３において、９６はインターネット、９７は動画情報や静止画情報をコンテンツとして提供するコンテンツサーバ、９８はネットワーク装置、９９はモバイルネットワークである。ネットワーク装置９８は、インターネット９６とモバイルネットワーク９９とのインタフェースを処理する。また、１００はインターネット９６とのインタフェースを行うインターネットインタフェース手段、１０１はインターネット９６とモバイルネットワーク９９とのプロトコル処理を行うプロトコル処理手段である。
【０１１３】
また、１０２はモバイルネットワーク９９とのインタフェースを行うモバイルインタフェース手段、１０３は異なる種類のモバイル端末で取り扱う画像情報フォーマットを共通に取り扱うことのできる共通画像フォーマットに変換する画像情報変換処理手段、１０４は蓄積装置である。蓄積装置１０４には画像情報変換処理手段１０３で変換されたモバイル端末からの画像情報を蓄積する。１０５は蓄積装置１０４に対するモバイル端末からの情報の書き込み及び読み出しの制御を行う蓄積装置制御手段、１０６は蓄積装置１０４から読み出した画像情報を共通画像フォーマットの画像情報の読み出しを要求するモバイル端末に応じた画像情報にカスタム処理を行う画像情報カスタム編集処理手段である。
【０１１４】
次に、図１３を参照して、以上のように構成された本発明の実施の形態６におけるネットワーク装置の動作を説明する。
実施の形態６におけるネットワーク装置は、モバイルネットワーク９９に対して画像情報を連続再生することを特徴とするものである。
【０１１５】
モバイルネットワーク９９からの画像情報を要求するメッセージは、ネットワーク装置９８において処理されコンテンツサーバ９７に届けられる。これはモバイルインタフェース手段１０２でインタフェースされたメッセージ情報がプロトコル処理手段１０１でプロトコル処理され、インターネットインタフェース手段１００からインターネット９６を経由してコンテンツサーバ９７に届けられる。コンテンツサーバ９７は、このメッセージに応答して画像情報を送信し、その画像情報はインターネット９６を経由してインターネットインタフェース手段１００に届けられると、プロトコル処理手段１０１において必要な画像情報が抽出され、画像情報変換処理手段１０３において共通画像情報フォーマットの画像情報に変換される。蓄積装置制御手段１０５は変換された画像情報を蓄積装置１０４に書き込む。
【０１１６】
プロトコル処理手段１０１は、コンテンツサーバ９７からの画像情報の転送が終了したことを解析すると、モバイルインタフェース手段１０２に通知して、モバイルネットワーク９９に対し画像情報の連続再生を実現する通信を開始する。モバイルインタフェース手段１０２は、蓄積装置制御手段１０５に対して単位時間毎に連続して画像情報を送信できる読み出しタイミングを指示する。蓄積装置制御手段１０５は、指示されたタイミングに応じて蓄積装置１０４から編集された画像情報を画像情報カスタム処理手段１０６に転送する。画像情報カスタム処理手段１０６は、蓄積装置制御手段１０４から転送された画像情報をモバイル端末で再生するために必要な画像情報フォーマットになるようカスタム処理し、モバイルネットワーク９９に対して連続再生を保証しつつ画像情報の転送を実行する。
【０１１７】
【発明の効果】
本発明は、上記のように構成し、特にインターネットからの画像情報であっても、ネットワーク装置にモバイル端末に応じた画像編集機能と、編集した情報を蓄積する蓄積装置と、モバイル端末において画像情報を連続再生しうるように前記編集した情報を蓄積装置から読み出す制御機能とを設けるようにしたことにより、モバイル端末に高性能なＣＰＵと大きなメモリ容量を必要とせずに、モバイル端末において画像情報を連続再生をすることができる。
【０１１８】
本発明は、上記のように構成し、特にインターネットからの情報から画像情報を抽出し、抽出した画像情報をモバイル通信に適するように編集処理して蓄積し、蓄積した編集情報の読み出しタイミングの指示を画像情報の連続再生が可能なように単位時間毎に連続して蓄積装置制御手段に通知するようにしたことにより、モバイルネットワークにおいて画像情報を連続再生をすることができる。
【０１１９】
本発明は、上記のように構成し、特に処理手段間のインタフェースにおける画像情報をＡＴＭ等のセルフォーマットに変換して処理するようにしたことにより、このネットワーク装置のように大容量の画像情報を取り扱い、その画像情報を多くのモバイル端末との間で通信するために必要な情報処理の高速伝送化及び大容量の交換能力を実現することができる。
【０１２０】
本発明は、上記のように構成し、特に通信する情報を動画情報の連続再生に必要な画像情報と通信情報とに区別し、画像情報の連続再生を実現するために画像情報を優先情報とし、通信情報を非優先情報として取り扱い、優先情報と優先情報の間に非優先情報を送信して、モバイルネットワークに対し優先情報を優先的に送信するようにしたことにより、画像情報の連続再生を実現することができる。
【０１２１】
本発明は、上記のように構成し、特に蓄積装置に蓄積された情報を、モバイルインタフェース手段からの読み出しタイミングに従って読み出すようにしたことにより、常にモバイルネットワークに対して情報を流し続ける放送機能を実現することができる。
【０１２２】
本発明は、上記のように構成し、特にモバイル端末からの画像情報を画像情報編集処理手段において異なる種類のモバイル端末に適した編集情報に編集して蓄積し、この編集情報をインターネットからの画像情報を通信する場合と同様に他のモバイル端末に送信することができるようにしたことにより、モバイル端末間における画像情報の通信を実現することができる。
【０１２３】
本発明は、上記のように構成し、特に画像情報を共通画像情報フォーマットに変換して蓄積し、モバイルネットワークに対して画像情報を送信する際は、蓄積した共通画像情報フォーマットの画像情報を端末ごとに取り扱っている画像情報のフォーマットに変換し、これにより、一度蓄積された画像情報はネットワークの画像情報フォーマットに影響されないために再利用が可能となり、モバイル端末間の通信機能や放送機能としても実現することができる。
【０１２４】
本発明は、上記のように構成し、特にモバイルネットワークに対して画像情報を送信する際には、画像情報カスタム処理手段において、蓄積装置から共通画像情報フォーマットの画像情報を端末ごとに取り扱っている画像情報のフォーマットに変換することにより、放送機能を実現することができる。
【０１２５】
本発明は、上記のように構成し、特に画像情報変換処理手段において画像情報を共通画像情報フォーマットに変換し、変換した画像情報を蓄積装置に蓄積することにより、一度蓄積装置に蓄積された画像情報はネットワークの画像情報フォーマットに影響されないため再利用が可能となり、またモバイルネットワークに対して画像情報を送信する際には、画像情報カスタム処理手段において、前記蓄積装置から共通画像情報フォーマットの画像情報を端末ごとに取り扱っている画像情報のフォーマットに変換することにより、モバイル端末間の通信機能や放送機能としても実現することができ、またモバイルインタフェース手段が蓄積した編集情報の読み出しタイミングの指示を画像情報の連続再生が可能なように単位時間毎に連続して蓄積装置制御手段に通知するようにしたことにより、モバイルネットワークに対する画像情報の連続再生を実現することができるネットワーク装置及びネットワーク通信方法を得ることができる。
【図面の簡単な説明】
【図１】本発明の実施の形態１におけるネットワーク装置を示すブロック図、
【図２】本発明の実施の形態１におけるモバイルインタフェース手段を示すブロック図、
【図３】本発明の実施の形態１におけるインターネットインタフェース手段を示すブロック図、
【図４】本発明の実施の形態１におけるプロトコル処理手段を示すブロック図、
【図５】本発明の実施の形態１における画像情報編集処理手段を示すブロック図、
【図６】本発明の実施の形態１における蓄積装置制御手段を示すブロック図、
【図７】本発明の実施の形態１におけるモバイルインタフェース手段を示すブロック図、
【図８】本発明の実施の形態１における蓄積装置制御手段を示すブロック図、
【図９】本発明の実施の形態２におけるネットワーク装置を示すブロック図、
【図１０】本発明の実施の形態３におけるネットワーク装置を示すブロック図、
【図１１】本発明の実施の形態４におけるネットワーク装置を示すブロック図、
【図１２】本発明の実施の形態５におけるネットワーク装置を示すブロック図、
【図１３】本発明の実施の形態６におけるネットワーク装置を示すブロック図。
【符号の説明】
１  インターネット
２  コンテンツサーバ
３  ネットワーク装置
４  モバイルネットワーク
５  インターネットインタフェース手段
６  プロトコル処理手段
７  モバイルインタフェース手段
８  画像情報処理手段
９  蓄積装置制御手段
１０  蓄積装置
１１  プロトコル処理手段
１２  蓄積装置制御手段
１３  モバイルインタフェース手段
１４  モバイルネットワーク
１５  モバイルプロトコル受信処理手段
１６  モバイルプロトコル送信処理手段
１７  送信タイミング制御処理手段
１８  インターネット
１９  インターネットインタフェース手段
２０  プロトコル処理手段
２１  インターネットプロトコル送信処理手段
２２  インターネットプロトコル受信処理手段
２３  インターネットインタフェース手段
２４  プロトコル処理手段
２５  モバイルインタフェース手段
２６  画像情報編集手段
２７  通信ネットワークプロトコル処理手段
２８  インターネットプロトコルアドレス解析処理手段
２９  画像情報プロトコル処理手段
３０  データ再生処理手段
３１  プロトコル処理手段
３２  画像情報編集処理手段
３３  蓄積装置制御手段
３４  受信データ管理手段
３５  再生データ蓄積装置
３６  再生データ編集手段
３７  画像情報編集処理手段
３８  蓄積装置制御手段
３９  蓄積装置
４０  モバイルインタフェース手段
４１  編集データ分割処理手段
４２  データ蓄積処理手段
４３  蓄積装置管理手段
４４  データ読み出し処理手段
４５  プロトコル処理手段
４６  蓄積装置制御手段
４７  モバイルインタフェース手段
４８  モバイルネットワーク
４９  モバイルプロトコル受信処理手段
５０  モバイルプロトコル送信処理手段
５１  送信タイミング制御処理手段
５２  受信バッファ
５３  情報のセル化処理
５４  非同期情報処理手段
５５  同期情報処理手段
５６  情報書き込み制御手段
５７  送信バッファ
５８  画像情報編集処理手段
５９  蓄積装置制御手段
６０  蓄積装置
６１  モバイルインタフェース手段
６２  編集データ分割処理手段
６３  データ蓄積処理手段
６４  蓄積装置管理手段
６５  データ読み出し処理手段
６６  画像情報バッファ
６７  データのセル化処理
６８  ネットワーク装置
６９  モバイルネットワーク
７０  モバイルインタフェース手段
７１  プロトコル処理手段
７２  蓄積装置
７３  蓄積装置制御手段
７４  ネットワーク装置
７５  モバイルネットワーク
７６  モバイルインタフェース手段
７７  プロトコル処理手段
７８  画像情報編集処理手段
７９  蓄積装置
８０  蓄積装置制御手段
８１  ネットワーク装置
８２  モバイルネットワーク
８３  モバイルインタフェース手段
８４  プロトコル処理手段
８５  画像情報変換処理手段
８６  蓄積装置
８７  蓄積装置制御手段
８８  画像情報カスタム処理手段
８９  ネットワーク装置
９０  モバイルネットワーク
９１  モバイルインタフェース手段
９２  プロトコル処理手段
９３  蓄積装置
９４  蓄積装置制御手段
９５  画像情報カスタム処理手段
９６  インターネット
９７  コンテンツサーバ
９８  ネットワーク装置
９９  モバイルネットワーク
１００  インターネットインタフェース手段
１０１  プロトコル処理手段
１０２  モバイルインタフェース手段
１０３  画像情報変換処理手段
１０４  蓄積装置
１０５  蓄積装置制御手段
１０６  画像情報カスタム処理手段
【図１】
0004371449.tif 000002
【図２】
0004371449.tif 000003
【図３】
0004371449.tif 000004
【図４】
0004371449.tif 000005
【図５】
0004371449.tif 000006
【図６】
0004371449.tif 000007
【図７】
0004371449.tif 000008
【図８】
0004371449.tif 000009
【図９】
0004371449.tif 000010
【図１０】
0004371449.tif 000011
【図１１】
0004371449.tif 000012
【図１２】
0004371449.tif 000013
【図１３】
0004371449.tif 000014